(57)【要約】【課題】　リム洗浄を併用した場合の洗浄機能の改善を図る。【解決手段】　便器１０は、二つの洗浄水噴出系を有する。一方の噴出系（ゼット噴出系）は、洗浄水タンク３１０からのタンク洗浄水入り口である洗浄水給水孔４０から、ボール部底部の凹部２６に開口されたゼット噴出口２２までの経路を有する。他方の経路（リムショット噴出系）は、洗浄水給水孔４０から、ボール部２０の上部側面に空けられたリム噴出口４４までの経路を有する。洗浄水給水孔４０の近傍に、開口４２を有する分流調整部材５０が装着されている。分流調整部材５０を洗浄水給水孔４０を利用して交換したり開口４２の開口面積を変更すれば、上部流入部４１ａを経てリム噴出口４４に至る流れの洗浄水量（リムショット噴出量）と下部流入部４１ｂを経てゼット噴出口２２に至る流れの洗浄水量（ゼット噴出量）との比率を調整することができる。【選択図】　図４
2004003382.tif 000002
【特許請求の範囲】
【請求項１】
洗浄水を貯留するタンクからの洗浄水を新たな洗浄水としてボール面上縁部に沿って略水平方向に噴出するリム噴出口と、トラップの排出口に向けて洗浄水を噴出するゼット噴出口とを備え、該便器ボール部に貯め置く溜水を汚物と共にトラップから排出するサイホンゼット式の水洗便器において、前記リム噴出口から噴出されたリムショット洗浄水は、前記ボール面上縁部に沿って略水平方向に旋回を起こすとともに、前記ゼット噴出口からの噴出水量を前記リム噴出口からの噴出水量より多くしたことを特徴とする水洗便器。
　　
【発明の詳細な説明】
【技術分野】
【０００１】
　本発明は、洗浄水を貯留するタンクからの洗浄水を新たな洗浄水として便器ボール部に通水してこれを洗浄する水洗便器に関する。
【背景技術】
【０００２】
　便器ボール部に洗浄水を通水してこれを洗浄する方式には種々のものがあり、便器ボール部の溜水中においてトラップに向けて洗浄水を噴出して洗浄する方式（いわゆるゼット洗浄）が広く普及している。このほか、ボール面上縁部の内側壁面に沿って洗浄水を噴出して洗浄する方式（いわゆるリム洗浄）も提案されており、上記の方式と併用することもなされるようになった（特許文献１）。この特許文献１に記載の水洗便器は、リム洗浄の洗浄開始タイミングをゼット洗浄のタイミングに近づけるようにしている。こうすることで、便器ボール面に付着したトイレットペーパー等をサイホン継続の間にボール部の溜水に流し落として、確実にトイレットペーパー等を排出させている。
【０００３】
【特許文献１】特開平１０−２３７９２８号公報
【発明の開示】
【発明が解決しようとする課題】
【０００４】
　特許文献１の方法では、タンク洗浄水の流入部に水流偏向部材を設けて、この水流偏向部材に衝突して跳ね上がった洗浄水を、その向きを変えてリム洗浄のための流路に導いている。ところで、この水流偏向部材の目的とするところがトイレットペーパー等の溜水への流し落しであるので、リム洗浄にそれほどの流量を必要としない。このため、水流偏向部材への衝突・跳ね上がりで洗浄水をリムに導けば十分であり、リム洗浄流量の確実な確保やリム洗浄流量増加等についての改善の余地が残されていた。
【０００５】
　また、水流偏向部材への衝突・跳ね上がりを起こしてリムに導かれる洗浄水は少量に過ぎないので、リム洗浄によるボール面汚物の剥離能力の向上が十分でなかった。なお、トイレットペーパー等の溜水への流し落しを目的とする限りにおいては、リムに導く洗浄水量が少なくても、実用上特段の支障はなかった。
【課題を解決するための手段】
【０００６】
　本発明は、上記した問題点を解決するためになされ、リム洗浄を併用した場合の洗浄機能の改善を図ることを目的とする。
【０００７】
　上記した課題を解決するため、本発明は、洗浄水を貯留するタンクからの洗浄水を新たな洗浄水としてボール面上縁部に沿って略水平方向に噴出するリム噴出口と、トラップの排出口に向けて洗浄水を噴出するゼット噴出口とを備え、該便器ボール部に貯め置く溜水を汚物と共にトラップから排出するサイホンゼット式の水洗便器において、前記リム噴出口から噴出されたリムショット洗浄水は、前記ボール面上縁部に沿って略水平方向に旋回を起こすとともに、前記ゼット噴出口からの噴出水量を前記リム噴出口からの噴出水量より多くした。
【０００８】
　例えば、リム噴出口からの噴出水量をゼット噴出口からの噴出水量に対して約５０〜約７５％とするよう調整するものとすることができる。こうすれば、ゼット噴出口からの噴出洗浄水量をリム噴出口からの噴出洗浄水量より多くできるので、トラップ吸込口への洗浄水吸込の確実化、延いてはこの洗浄水吸込によるトラップ内の速やかな洗浄水満水化を図ることができる。
【発明の効果】
【０００９】
　本発明によれば、リムショット洗浄水で溜水に旋回を起こすので、溜水及び溜水中の汚物の排出効果が高まる。しかも、ボール面において旋回する際、その有する旋回力によりボール面付着汚物を高い剥離力で剥離してボール底部の凹部に落とし込む。
【００１０】
　また、ゼット噴出口からの噴出水量を前記リム噴出口からの噴出水量より多くしたので、排出口への洗浄水吸込の確実化、延いてはこの洗浄水吸込によるトラップ内の速やかな洗浄水満水化を図ることができる。このため、早期のうちのサイホン作用誘発に有益である。
【発明を実施するための最良の形態】
【００１１】
　以上説明した本発明の構成及び作用を一層明らかにするために、以下本発明の水洗便器について、その実施の形態を説明する。図１は、本発明の実施例であるサイホンゼット式の便器１０を、その採用する洗浄水噴出の様子と共に示す概略斜視図、図２は、この便器１０の主要なパーツを流路との関係を示しつつ説明するための説明図である。図３は、便器１０をその上面の一部を破断して示す説明図であり、図４は、便器１０を図３における４−４屈曲線に沿って破断した概略縦断面を示す説明図、図５は、図３におけ５−５屈曲線に沿って破断した概略横断面を示す説明図である。図６は、図５の要部Ｘの概略拡大図である。このサイホンゼット式の便器１０は、洗浄に伴って、後述するゼット噴出口２２からの洗浄水噴出とボール面上縁における洗浄水噴出を行う。以下、便器１０の各部について、各図を参照しつつ説明する。
【００１２】
　これら図面に示すように、便器１０は、汚物を受けるボール部２０を備える。ボール部２０の周壁は、便器１０の非洗浄時でも溜水ＲＷと接する覆水面２３と、便器１０の非洗浄時には溜水ＲＷと接しない露出面２４から構成されている。
【００１３】
　この便器１０は、二つの洗浄水噴出系を有する。一方の噴出系（ゼット噴出系）は、洗浄水タンク３１０（図４参照）からのタンク洗浄水入り口である洗浄水給水孔４０から、ボール部底部の凹部２６に開口されたゼット噴出口２２までの経路を有する。他方の経路（リムショット噴出系）は、洗浄水給水孔４０から、ボール部２０の上部側面に空けられたリム噴出口４４までの経路を有する。このゼット噴出系とリムショット噴出系は、洗浄水給水孔４０の直下近傍で、後述するように上部流入部４１ａと下部流入部４１ｂに区画分離形成されており、それぞれの噴出口に洗浄水を分流供給する。
【００１４】
　ゼット噴出口２２は、図示するように、凹部２６を挟んでトラップの排出口２５とほぼ対峙する位置に設けられている。そして、このゼット噴出口２２は、下部流入部４１ｂ下方のゼット給水孔４５と、便器内部を湾曲するように形成されたゼット給水路４６を介して接続されている。リム噴出口４４は、ボール部２０のボール面（詳しくは露出面２４）上縁に沿って略水平方向に溝状に陥没形成された案内凹部２４ａに連通するよう形成されている。
【００１５】
　便器１０は、その製造の過程で、ボール部パーツ１０ａと、本体下部パーツ１０ｂと、給水路遮蔽パーツ１０ｃとされ、これらのパーツを接合・なじみ処理した後、焼成して製造される。
【００１６】
　便器１０の内部には、ボール部２０に水を噴出するための上記の二系等の噴出系のほか、ボール部２０内の汚物を排水立ち上げ管９０に向けて排出するための管路機構（以下、排出機構という）を有するトラップが設けられている。
【００１７】
　まず、噴出系の構成について説明する。便器１０の後方には、洗浄水タンク３１０底部の図示しない排出口部分からの洗浄水流入孔として、洗浄水給水孔４０が設けられている。洗浄水タンク３１０は、その底部に図示しない排水弁を有し、便器洗浄のための全体の洗浄水を供給する。なお、後述のトラップから便器外部に排出される洗浄水量（排出洗浄水量）は、タンクの排水弁の開弁制御により調整可能であり、所定量、例えば大便洗浄時にあって約６リットルとなるよう設定することができる。
【００１８】
　この洗浄水給水孔４０を通過したタンク洗浄水は、当該給水孔下部の中空の流入部４１に流入する。本実施例では、この流入部４１を形成する左右内側壁４１ｓｒ、４１ｓｌ（図３参照）間に、分流区画壁４１ｃを有する。この分流区画壁４１ｃは、この左右内側壁間に延在して形成されており、流入部４１を上記の上部流入部４１ａと下部流入部４１ｂに区画分離する。この場合、分流区画壁４１ｃは、図６に示すように、ボール部２０と反対側の端部、即ち図４に示すように洗浄水給水孔４０の近傍に、開口４２を有する分流調整部材５０が装着されている。
【００１９】
　分流調整部材５０は、下方に突出したすり割り状の係合片５１を有し、この係合片５１を区画壁開口４１ｄの周壁に係合させて、分流区画壁４１ｃに固定される。また、係合片５１を湾曲させて、分流調整部材５０を取り外すこともできる。この分流調整部材５０は、ＡＢＳ等の一般的な樹脂の樹脂成型品、或いは金属成型品とされている。そして、この分流調整部材５０は、開口４２の面積が異なるものに交換可能であり、開口４２に図示しない部材を嵌合・固定してその開口面積を変更することもできる。
【００２０】
　図７は、この分流区画壁４１ｃと分流調整部材５０による洗浄水分流の様子を説明するための説明図である。この図７を始めとする各図に示すように、洗浄水給水孔４０を通過した洗浄水（流入洗浄水）は、分流区画壁４１ｃと分流調整部材５０により、上部流入部４１ａを経てリム噴出口４４に至る洗浄水の流れと、下部流入部４１ｂを経てゼット噴出口２２に至る洗浄水の流れに区画分離されて、両噴出口に分流供給される。つまり、流入洗浄水のうち、分流調整部材５０の開口４２を通過した洗浄水は、下部流入部４１ｂ並びにゼット給水孔４５ゼット給水路４６を経てゼット噴出口２２から速やかに噴出される。また、流入洗浄水のうち、開口４２に入り込まなかった洗浄水は、上部流入部４１ａを経てリム噴出口４４から速やかに噴出される。洗浄水給水孔４０の下部領域は、限られた容積しかないので、給水直後に洗浄水で満たされる。よって、上記の両噴出口へは、洗浄水はほとんど同時に直接分流供給され、各分流供給の際に、洗浄水のエネルギロスを起こさない。なお、給水直後の一瞬にあっては、開口４２に入り込まずに分流区画壁４１ｃに乗り上げた洗浄水と、分流調整部材５０両側の分流区画壁端部４１ｅに案内されて分流区画壁４１ｃに乗り上げた洗浄水のリム噴出口４４への分流供給が起きる。しかし、こうした分流供給はすぐに解消して上記のような直接的なものとなるので、また、この洗浄水の乗り上げは、本実施例では十数ｍｍに過ぎないので、乗り上げによる洗浄水のエネルギロスは実質的に無視できる。
【００２１】
　この場合、既述したように分流調整部材５０を洗浄水給水孔４０を利用して交換したり開口４２の開口面積を変更すれば、上部流入部４１ａを経てリム噴出口４４に至る流れの洗浄水量（リムショット噴出量）と下部流入部４１ｂを経てゼット噴出口２２に至る流れの洗浄水量（ゼット噴出量）との比率を調整することができる。本実施例では、分流調整部材５０における開口４２の有効通路面積の調整により、リム噴出口４４からのリムショット噴出量がゼット噴出量に対して、約５０〜約７５％の水量となるようにした。よって、ゼット噴出量をリムショット噴出量より多くできるので、排出口２５への洗浄水吸込の確実化、延いてはこの洗浄水吸込によるトラップ内の速やかな洗浄水満水化を図ることができる。このため、早期のうちのサイホン作用誘発に有益である。なお、本実施例では、リム噴出口４４からの噴出水量が約１〜約２リットル、好ましくは約１．５リットルとなるようにした。また、上記の比率調整に際しては、リムショット噴出による洗浄能力（汚物剥離能力）を高くする場合には、開口面積が広くなるようにすればよい。
【００２２】
　このように分流調整部材５０を便器本体と別体に構成したので、分流調整部材５０が有する開口４２の形状や有効面積等を均一化できる。よって、この分流調整部材５０を便器本体に装着した水洗便器では、リム噴出口４４とゼット噴出口２２への分流供給の信頼性を高めることができる。この場合、分流調整部材５０にシャッターを設けこれをアクチュエータにて駆動するよう構成すれば、開口４２の有効面積（通路面積）をその都度調整でして、リム噴出口４４とゼット噴出口２２への分流供給の比率、即ちリムショット噴出量とゼット噴出量の比率を種々変更できる。
【００２３】
　このようにして分流供給された洗浄水は、上部流入部４１ａにあっては、分流後速やかにリム噴出口４４に流れて当該噴出口から噴出される。また、下部流入部４１ｂにあっても、分流後速やかにゼット噴出口２２に流れて当該噴出口から噴出される。したがって、両噴出系のリム噴出口４４とゼット噴出口２２からほぼ同時に洗浄水を噴出できる。
【００２４】
　リム噴出口４４は、図４に示すように、上記の分流調整部材５０による分流個所より低い位置に形成されている。よって、分流区画壁４１ｃで形成される上部流入部４１ａは、リム噴出口４４に向けて傾斜した給水経路を形成することになるので、リム噴出口４４の側から洗浄水が不用意に逆流しないようにできる。また、上部流入部４１ａを流れる間においては、洗浄水のエネルギロスを起こさないようにできるので、リム噴出口４４からは、大きな流速をもって勢い良く洗浄水を噴出できる。
【００２５】
　このリム噴出口４４は、ボール面上端のリム部２１の基部に位置し、このリム部２１はリム噴出口４４を覆うようにオーバーハングしている。よって、このリム部２１によりリム噴出口４４をその上方から見え難くでき、見栄えを向上できる。
【００２６】
　上記のように上部・下部の流入部を区画形成する分流区画壁４１ｃは、ボール部２０の側に、当該区画壁の一部が凸状に上側に盛り上がった隆起部４３を有する。この隆起部４３は、図３に示すように、その平面形状において、傾斜側面４３ａを有する。このため、隆起部４３は、上部流入部４１ａを流れてくる図中白抜き矢印の洗浄水の流れを、傾斜側面４３ａによってリム噴出口４４を指向した流れに矯正する。このため、リム噴出口４４に向かう洗浄水の流速を高めることができる。
【００２７】
　また、隆起部４３は、この隆起部のうち、ボール部２０の側の側壁４３ｂに、空気連通孔４７を有する。この側壁４３ｂ近辺は、上部流入部４１ａを流れてくる洗浄水が直接衝突することは無く、しかも上記のように洗浄水の流れが矯正されている。よって、洗浄水供給の間において、側壁４３ｂ近辺にはほとんど洗浄水が無いままとなるので、上部流入部４１ａの洗浄水が空気連通孔４７から下部流入部４１ｂに流れ込みにくい。或いは、連通孔の一部でしか洗浄水の流れ込みを起こさない。したがって、このような個所に設けた空気連通孔４７によって、好適に下部流入部４１ｂ内の空気を外部に排出できる。つまり、下部流入部４１ｂに洗浄水が流れ込むと、この洗浄水の流れ込みに伴って下部流入部４１ｂ内部の空気が空気連通孔４７を経て速やかに排出される。このため、下部流入部４１ｂ内は洗浄開始後に速やかに満水となり、早期のうちにゼット噴出口２２から洗浄水を噴出でき、これにともなう最本作用も早期に起こして洗浄機能を高めることができる。
【００２８】
　リムショット噴出系のリム噴出口４４は、上記したように略水平方向に溝状に陥没形成された案内凹部２４ａに連通するよう形成されている。よって、リム噴出口４４から噴出された洗浄水（以下、このようにして噴出された洗浄水をリムショット洗浄水という）の挙動は次のようになる。つまり、図１に示すように、リムショット洗浄水ＲＳは、ボール部２０の案内凹部２４ａに案内されながらボール面上縁部に沿って略水平方向に旋回を起こし、この旋回する主流から各所で分岐した流れとなり、露出面２４に沿って伝わり落ちる。なお、上記した案内凹部２４ａの陥没形状は、図４や図５に示した形状に限定されるものではなく、この案内凹部２４ａに案内されながら旋回する洗浄水がその旋回主流から各所で分岐した流れとなって露出面２４に沿って伝わり落ちる形状であればよい。
【００２９】
　こうしてリムショット洗浄水ＲＳの主流から分岐した洗浄水の流れは、ボール面において滑るように移動し、ボール部の溜水ＲＷに反時計廻り方向の旋回力を付与する。この結果、ボール部２０内の溜水ＲＷは左回りの旋回流となって排出口２５から排出される。このように、リムショット洗浄水で溜水に旋回を起こすので、溜水および溜水中の汚物の排出効果が高まる。しかも、上記のように分岐した流れの洗浄水は、ボール面において旋回する際に、その有する旋回力によりボール面付着汚物を高い剥離力で剥離してボール部底部の凹部２６に落とし込む。なお、リム噴出口４４および上部流入部４１ａを図３における右方に形成したり、ゼット給水路４６を右方に湾曲形成するようにしてもよい。
【００３０】
　また、リム噴出口４４とゼット噴出口２２に分流供給される際の洗浄水分流箇所、即ち分流調整部材５０の設置個所を、洗浄水給水孔４０の近傍とした。よって、リム噴出口４４から離れた位置にある洗浄水給水孔４０の近傍で洗浄水の分流を起こすことができるので、分流後の洗浄水をその流れに比較的乱れが起きない状態でリム噴出口４４に流して噴出できる。この結果、このリム噴出口４４からは、流れに乱れが無い状態で洗浄水をボール面上縁部に噴出することができる。従って、ボール面上縁部の案内凹部２４ａに沿って洗浄水が起こす略水平方向の旋回にも大きな乱れが起きないようにでき、ボール面上縁部から洗浄水が不用意に飛び出すようなことも無くなる。また、便器の洗浄性も高めることができる。
【００３１】
　また、便器１０は、洗浄水給水孔４０を便器後方側で取り囲むよう設置された堰４１ｆを有し、この堰４１ｆと便器後方外壁との間に間隙を形成する。そして、堰４１ｆの上端を洗浄水給水孔４０周囲壁面近くまで伸ばして、この間隙に洗浄水が進入しないようにしている。このため、上部流入部４１ａと下部流入部４１ｂを合わせた流入部の内容積のうち、この間隙部にエアーが残っていてもゼット噴出口２２、リム噴出口４４に向けた洗浄水の分流供給を開始できる。よって、間隙容積分だけ、実質的な流入部内容積を減少させることができるので、早期のうちのボール部への洗浄水噴出が図ることができる。
【００３２】
　次に、排出機構について説明する。図４に示すように、汚物溜りとしての凹部２６の奥に形成された排出口２５の先には、水や汚物の流路（トラップ）として、排出口２５から斜め上方向に向けて湾曲する接続路３１と、接続路３１の湾曲方向に延出した後、横方向へ湾曲する上昇路３２と横方向から下方向に湾曲する下降路３３が、それぞれ形成されている。下降路３３の終端は、樹脂製の排水ソケット７０を介して、建築側の壁や床に設けられた排水立ち上げ管９０に接続される。
【００３３】
　図４に示すように、洗浄動作前の便器１０においては、接続路３１，上昇路３２およびボール部２０内に、通常水位線ＷＬの高さに溜水ＲＷが溜まっている。この溜水ＲＷにより、排水機構からボール部２０への臭気の逆流や害虫の進入が防止される。
【００３４】
　溜水ＲＷには、排出口２５に至るまでのボール部２０の内部に溜まる水（以下、この水をボール部溜水という）と、排出口２５以降の接続路３１および上昇路３２に溜まる水（以下、この水を流路内溜水という）と、便器１０の下部流入部４１ｂの下部およびゼット給水路４６に溜まる水（以下、この水をゼット溜水という）が含まれる。図４に示すように、流路内溜水は、接続路３１，上昇路３２および下降路３３からなる汚水の流路のうち、接続路３１から上昇路３２にかけての１箇所にのみ溜まっている。なお、「汚水」とは、大便や小便等の汚物や紙などが混ざることによって汚れた水をいう。
【００３５】
　このように構成された排水機構により、汚水や汚物が排出される仕組みについて説明する。洗浄水タンク３１０から洗浄水が放出されると、この放出洗浄水は、上部流入部４１ａと下部流入部４１ｂに分流供給され、両流入部において、その位置エネルギを運動エネルギとしてリム噴出口４４或いはゼット噴出口２２から噴出される。このゼット噴出口２２からの洗浄水噴出により、ゼット噴出口２２から上記のトラップに向けた洗浄水噴出が開始され、その後は、洗浄水の放出が継続される間において、上記のエネルギで放出洗浄水自体がゼット噴出口２２から継続して噴出される。また、このゼット噴出動作とほぼ同じ時期に、リム噴出口４４から洗浄水噴出が開始されて継続される。
【００３６】
　ゼット噴出が開始され上昇路３２から下降路３３にかけての屈曲した部分（以下、屈曲部という）が満水状態になると、下降路３３内先端と溜水のボール部２０側との間に圧力差が生じて下方向への引き込み力が生じる。この引き込み力により、屈曲部よりも低い位置にある汚水が、汚物とともに一気に排水立ち上げ管９０に導かれる。こうしてサイホン作用が誘発される。
【００３７】
　次に、上記した便器１０の製造方法について説明する。この製造方法は、分流区画壁４１ｃを有しない既存のリム噴出・ゼット噴出便器の製造方法と、ボール部パーツ１０ａの型成型に用いる型構造が異なるに過ぎない。図８は、便器１０のうちボール部パーツ１０ａの型成型に用いる型構成を説明する説明図である。なお、各型は多孔質の吸引型である。
【００３８】
　図示するように、ボール部パーツ１０ａの型成型に際しては、上型１００と、下型１０１と、合わせ型１０２を用いる。上型１００は、ボール面上端のリム部２１の上壁部１２１と洗浄水タンク３１０や図示しない便座の載置部上壁部１２２、載置部上部側壁部１２３を形成するための型である。この上型１００は、洗浄水給水孔４０形成用の凸部１００ａを有し、リム部２１並びに載置部の上端アールの境界で下型１０１、合わせ型１０３と接合する。
【００３９】
　下型１０１は、載置部下部側壁部１４１と、焼成後に分流区画壁４１ｃとなる下部壁部１４２と、堰４１ｆの設置部となる後方下部壁部１４３と、リム部２１の下部側壁部１４４と、隆起部４３となる隆起壁部１４５とを形成するための型である。この下型１０１は、分流調整部材５０の装着孔となる区画壁開口４１ｄ形成用の凸部１０１ａと、隆起壁部１４５形成用の凸状突起部１０１ｂを有する。合わせ型１０２は、リム部２１の内側側壁部１４５形成するための型であり、離型に支障が無いようリム周りに分割されている。これら各型を型接合して各型で形成されたキャビティに泥漿を注入し、各型を吸引処理すると、図示するように各型の型形状に倣って泥漿が着層する。その後、乾燥させて離型した後、リム噴出口４４とするための孔を隆起壁部１４５のボール部側側面に空けることで、ボール面上縁のリム部２１を含み、便器全体の上部構造を有するボール部パーツ１０ａが形成される。なお、このボール部パーツ１０ａに、堰４１ｆ形成用の泥漿板が洗浄水給水孔４０から挿入されて、後方下部壁部１４３にこの泥漿板がなじみ接着される。この際、泥漿板上端には、焼成時の型割れを防止するため、隙間が空けられる。
【００４０】
　また、既存の図示しない型（上型・下型或いは左右の型）を用いて、ボール部下方部や凹部２６、上記トラップ管路、便器本体下部部分等の残余の便器部分を含む便器下部構造を有する本体下部パーツ１０ｂを型成型して準備する。更には、本体下部パーツ１０ｂに形成済みのゼット給水路４６用の凹所をその経路に亘って遮蔽する給水路遮蔽パーツ１０ｃを成型して準備する。なお、この給水路遮蔽パーツ１０ｃの成型も既存のものと変わることは無い。
【００４１】
　こうして各パーツの準備が完了すると、各パーツを端面同士で接合させて、その接合個所を指や刷毛等でなじみ処理に処し、焼成する。このような製造工程を採るに当たり、ボール部パーツ１０ａ成型用の下型１０１の型形状を変更するだけでよいので、低コスト化を図ることができる。
【００４２】
　以上説明した本実施例の水洗便器によれば、リム噴出口４４からのリムショット噴出とゼット噴出口２２からのゼット噴出に当たり、洗浄水給水孔４０からの流入洗浄水を、跳ね上げ等によりエネルギロスを起こすことなく速やかに各噴出口に分流供給する。このため、ボール面の付着汚物剥離を起こすリムショット噴出を、高い流速とエネルギ（位置エネルギ）をもって実行することができる。よって、リムショット噴出に伴なう洗浄能力を向上させることができる。しかも、ボール面上縁部に沿った略水平方向の洗浄水旋回を大きなエネルギと高流速のリムショット噴出で起こすことができる。よって、ボール部底部に直接洗浄水を噴出するゼット噴射が高流速・高エネルギであることと相俟って、便器洗浄能力をより高めることができる。
【００４３】
　また、リムショット噴出のために上部流入部４１ａによりリム噴出口４４に導かれる洗浄水の流れを、隆起部４３の傾斜側面４３ａによってリム噴出口４４を指向した流れに矯正し、リム噴出口４４に向かう洗浄水の流速を高める。このため、リム噴出口４４からのリムショット噴出による洗浄水の旋回エネルギを高めることができ、ボール面の汚物剥離能力をより一層向上することができる。
【００４４】
　次に、変形例について説明する。図９は、変形例の便器１０Ａの上面を一部破断して示す説明図である。図示するように、この変形例の便器１０Ａは、リム部２１の内部に環状のリム給水路２４３を備える。そして、リム部２１からの洗浄水噴出を、リム部下面に異なる孔径或いは形状で複数設けた貫通孔から行う。本実施例では、この貫通孔として、大径の貫通孔２４４ａ、中程度の径の貫通孔２４４ｂ、小径の貫通孔２４４ｃ、略長方形の長孔の貫通孔２４４ｄ，ｅという５種類の形状の貫通孔を形成した。
【００４５】
　また、開口４２で上記の実施例と同様に洗浄水を分流供給するための分流区画壁４１ｃは、これを挟んで上下に上部流入部４１ａと下部流入部４１ｂを重ねて分離区画する。そして、この分流区画壁４１ｃの上面でボール部２０の側には、略三角形状とされた隆起部２００を有する。この隆起部２００は、上部流入部４１ａを流れてきた洗浄水を、リム部左右の流れにその向きを上記各貫通孔を指向するよう矯正する。また、この隆起部２００の側壁に空けられた空気連通孔４７により、下部流入部41ｂの空気抜きを行う。
【００４６】
　このように構成された変形例の便器１０Ａにあっても、上記した実施例と同様の効果を奏することができる。
【００４７】
　なお、上記した各貫通孔の管路向きを斜めにすることにより、これら貫通孔からの噴出洗浄水に旋回成分を付与するためのものとできる。こうすれば、便器１０Ａの前側方向に左右から付勢されて、左右のリム給水路２４３に供給された洗浄水は、各貫通孔の開孔径や洗浄水の付勢力に対応して分配されて、各貫通孔２４４ａ〜２４４ｅから吐出される。このとき、隆起部２００に近い位置である左右後方のリム部２１の裏側に形成された長孔の貫通孔２４４ｄからは、付勢力の大きな水が、便器の前方のやや左側或いは右方の露出面２４に向けて噴出される。また、便器前方側の左右の長孔の貫通孔２４４ｅからは、リム給水路２４３を右回り或いは左回りに流れてきた洗浄水が、便器前方よりの露出面２４に向けて多量に吐出される。この長孔の貫通孔２４４ｄ，２４４ｅから吐出された洗浄水が主流となって、噴出洗浄水に便器左右で異なる方向の旋回力が付与され、この旋回の際にボール面付着汚物を剥離できる。
【００４８】
　また、小孔の貫通孔２４４ｃからの噴出洗浄水は、運動エネルギおよび水量の差に起因して、大孔の貫通孔２４４ａからの噴出洗浄水に巻き込まれてボール面に沿って流れ落ちる。この流れによっても、ボール面付着汚物を剥離できる。これらの汚物剥離に際しては、リム給水路２４３には高い流速とエネルギで洗浄水が上記のように分流供給されることから、高い汚物剥離能力を発揮できる。
【００４９】
　以上、本発明が実施される形態を説明したが、本発明はこうした実施例に何等限定されるものではなく、本発明の要旨を逸脱しない範囲内において種々なる様態で実施し得ることは勿論である。
【００５０】
　例えば、上記実施例では、洗浄水タンクとして、便器に連結されるロータンク型タンクを用いたが、ロータンク型タンク以外のタンク、例えば、便器と洗浄管を介して接続されてトイレの壁等に設置される隅付き型や平付き型のタンクを用いてもよい。この場合に、洗浄水タンクを高い位置に設置してハイタンクとすることも可能である。
【００５１】
　また、本発明をサイホンゼット式便器１０に適用した場合を例として説明したが、上記の便器と他の装置や部材との組み合わせた発明として把握することもできる。例えば、局部洗浄や暖房等の諸機能を実現する機能便座と組み合わせた衛生洗浄装置、収納用キャビネットや手洗装置と組み合わせたトイレキット装置、トイレ室内の構造体としての壁材，床材および天井材等を組み合わせたシステムトイレ装置等に適用することもできる。
【００５２】
　また、下部流入部４１ｂの空気抜きのための空気連通孔４７を隆起部側面に設けたが、隆起部頂上部や分流区画壁４１ｃの適宜個所に設けることもできる。
【産業上の利用可能性】
【００５３】
　本発明の水洗便器は、一般家庭は勿論のことホテル、公共施設などの水洗便器として使用できる。
【図面の簡単な説明】
【００５４】
【図１】本発明の実施例であるサイホンゼット式の便器１０を、その採用する洗浄水噴出の様子と共に示す概略斜視図である。
【図２】この便器１０の主要なパーツを流路との関係を示しつつ説明するための説明図である。
【図３】便器１０をその上面の一部を破断して示す説明図である。
【図４】便器１０を図３における４−４屈曲線に沿って破断した概略縦断面を示す説明図である。
【図５】図３におけ５−５屈曲線に沿って破断した概略横断面を示す説明図である。
【図６】図４の要部Ｘの概略拡大図である。
【図７】分流区画壁４１ｃと分流調整部材５０による洗浄水分流の様子を説明するための説明図である。
【図８】便器１０のうちボール部パーツ１０ａの型成型に用いる型構成を説明する説明図である。
【図９】変形例の便器１０Ａの上面を一部破断して示す説明図である。
【符号の説明】
【００５５】
１０…サイホンゼット式便器（便器）
１０ａ…ボール部パーツ
１０ｂ…本体下部パーツ
１０ｃ…給水路遮蔽パーツ
１０Ａ…便器
２０…ボール部
２１…リム部
２２…ゼット噴出口
２３…覆水面
２４…露出面
２４ａ…案内凹部
２５…排出口
２６…凹部
３１…接続路
３２…上昇路
３１…接続路
３２…上昇路
３３…下降路
４０…洗浄水給水孔
４１ａ…上部流入部
４１ｂ…下部流入部
４１ｃ…分流区画壁
４１ｄ…区画壁開口
４１ｅ…分流区画壁端部
４１ｆ…堰
４１…流入部
４１ｓｒ、４１ｓｌ…左右内側壁
４２…開口
４３…隆起部
４３ａ…傾斜側面
４３ｂ…側壁
４４…リム噴出口
４５…ゼット給水孔
４６…ゼット給水路
４７…空気連通孔
５０…分流調整部材
５１…係合片
７０…排水ソケット
１００…上型
１０１…下型
１０１ａ…凸部
１０１ｂ…凸状突起部
２００…隆起部
２４３…リム給水路
２４４ａ〜２４４ｅ…貫通孔
３１０…洗浄水タンク
【図１】
2004003382.tif 000003
【図２】
2004003382.tif 000004
【図３】
2004003382.tif 000005
【図４】
2004003382.tif 000006
【図５】
2004003382.tif 000007
【図６】
2004003382.tif 000008
【図７】
2004003382.tif 000009
【図８】
2004003382.tif 000010
【図９】
2004003382.tif 000011